(57)【要約】ハンガー本体とフックとを含むノンスリップハンガーであって、前記本体の両側の上部に２つの上部保持部があり、これにより上部保持部開口部より衣服が挿入可能であることを特徴とする、ノンスリップハンガー。
2009517142.tif 000002
【特許請求の範囲】
【請求項１】
ハンガー本体とフックとを含むノンスリップハンガーであって、前記本体の両側の上部に２つの上部保持部があり、上部保持部の開口より衣服が挿入可能であることを特徴とする、ノンスリップハンガー。
【請求項２】
ハンガー本体の両側の上部にそれぞれ開口溝があり、開口溝内の歯が上部保持部を形成することを特徴とする、請求項１に記載のノンスリップハンガー。
【請求項３】
上部保持部が、ハンガー本体の各側の上部に取り付けられる簧片であることを特徴とする、請求項１に記載のノンスリップハンガー。
【請求項４】
ハンガー本体の両側の上部には滑溝が設けられており、当該滑溝にフック状簧片が挿入され、簧片がハンガー本体の各側でその弾性により固定されて、上部保持部を形成することを特徴とする、請求項３に記載のノンスリップハンガー。
【請求項５】
上部切り込みの幅が内側の切り込みの幅より小さく、滑溝の空隙の断面が逆向きの「Ｔ」の構造を形成することを特徴とする、請求項４に記載のノンスリップハンガー。
【請求項６】
前記フック状簧片のフック部分にほぞが形成されており、当該ほぞがハンガー本体の滑溝にはまっていることを特徴とする、請求項５に記載のノンスリップハンガー。
【請求項７】
前記滑溝は、ハンガー本体の両側の上部に切り込まれる対称的な溝であり、これによりハンガー本体の断面が「Ｈ」の構造になることを特徴とする、請求項４に記載のノンスリップハンガー。
【請求項８】
フック状簧片のフック部分に滑り留部があり、滑り留部の２つの突縁がハンガー本体の溝に挿入されることを特徴とする、請求項７に記載のノンスリップハンガー。
【発明の詳細な説明】
【技術分野】
【０００１】
本発明のノンスリップハンガーはハンガーの一種である。
【背景技術】
【０００２】
一般にハンガーは、ハンガー本体とフックとからなり、現在のノンスリップハンガーは通常、ハンガー本体の両側の上部に、衣服が掛けられている際に滑り止めの役割を果たす返し部を有する。
【発明の開示】
【発明が解決しようとする課題】
【０００３】
本発明の目的は、新しい種類のノンスリップハンガーを提供することである。
【課題を解決するための手段】
【０００４】
本発明の目的は、以下の技術構想により実現可能である。新種のノンスリップハンガーは、ハンガー本体とフックとを含み、上記本体の両側の上部に２つの上部保持部があり、これにより衣服が上部保持部の開口から挿入可能である。
【０００５】
上記の構想に基づき、ハンガー本体の両側の上部に歯を有する開口溝があり、２つの上部保持部を形成する。
歯は、衣服がよれることを回避するために、スポンジまたはその他の弾性層により取り付けられている。
【０００６】
本発明のノンスリップハンガーの上部保持部は、ハンガー本体の両側の上部の翼状の簧片を伴って装着することが可能である。
上記簧片は、以下の方法により固定されることが可能である。ハンガー本体の両側の上部に滑溝があり、ここにフック状簧片のフック部分が挿入されている。簧片は、ハンガー本体の両側でその弾性により固定され、こうして上部保持部を形成する。ハンガーの特徴は、クランプ体の位置を調整するためにクランプ体が滑溝に沿って滑ることが可能なことである。
【０００７】
上記の構想に基づき、滑溝の形状は、上部切り込みの幅が内側の切り込みの幅より小さく、滑溝の空隙の断面は逆向きの「Ｔ」の構造を形成し、これは簧片を固定するために便利である。
【０００８】
フック状の簧片のフック部分にはほぞが形成されており、これはハンガー本体の滑溝にはまっており、簡単な構造および確実な固定という特徴を示している。
【０００９】
上記の滑溝は、ハンガー本体の両側の上部に対称的に切り込まれる溝であり、これによりハンガー本体の断面が「Ｈ」の構造を有するようになる。
【００１０】
フック状簧片のフック部分には滑り留部があり、その２つの突縁はハンガー本体の溝に挿入される。
【発明の効果】
【００１１】
本発明の長所は以下を含む。
１．ノンスリップ効果が優れており、ハンガーに掛けられる衣服、特に襟のないＴシャツ、スカートまたはつりのないスカート等がよじれない。
２．上部保持部の位置が自由自在に調節可能である。
【発明を実施するための最良の形態】
【００１２】
実施例１
本発明の実施例１の構造の略図である図１を参照されたい。これは、ハンガー本体（１）とフック（２）とを含むノンスリップハンガーの一種である。上記本体（１）の両側の上部には２つの上部保持部（１１、１２）があり、これにより上部保持部の開口から衣服が挿入可能である。上部保持部（１１、１２）内には歯があり、この実施例ではこれは突起部（１１１、１１２）となっている。衣服のよじれを回避するために、歯にはスポンジまたはその他の弾性層が取り付けられる。
この実施例では上部保持部（１１、１２）およびハンガー本体（１）は、一体的な構造である。上部保持部の開口は、下向きに設けられており、これにより衣服がハンガーに掛けられた際によじれることがない。
【００１３】
実施例２
本発明の上部保持部は、ハンガー本体の両側の上部の弾性上部保持部としての翼状の簧片を伴って取り付けられることも可能である。
例えば、図２は、ノンスリップハンガーの一種である本発明の実施例１の構造の略図であり、ハンガー本体（１’）とフック（２’）とを含む。ハンガー本体（１’）の両側の上部には滑溝（１１’、１２’）があり、２つのフック状簧片（３’、４’）のフック部分は滑溝（１１’、１２’）に挿入される。簧片（３’、４’）は、ハンガー本体（１’）の両側にその弾性により固定され、これにより上部保持部を形成する。
図５は、実施例２のハンガー本体の断面Ａの構造の略図である。滑溝（１１’、１２’）の形状は、上部の切り込みの幅が内側の切り込みの幅より小さく、滑溝（１１’、１２’）の断面は逆向きの「Ｔ」の構造を形成する。
図３は、実施例１の本発明のフック状簧片の構造の略図であり、図４は図３の右側の図である。フック状簧片（３’、４’）のフック部分にはほぞ（３１’、４１’）があり、このほぞ（３１’、４１’）はハンガー本体（１’）の滑溝（１１’、１２’）にはまっている。
【００１４】
実施例３
図６は、新たな実施例２の構造の略図であり、ハンガー本体（１”）とフック（２”）とを含む。ハンガー本体（１”）の両側の上部には滑溝（１１”、１２”、１３”、１４”）がある。フック状簧片（３”、４”）のフック部分（３１”、４１”）は、滑溝（１１”、１２”、１３”、１４”）に挿入される。簧片（３”、４”）はハンガー本体（１”）にその弾性により固定され、これにより上部保持部を形成する。
図９は、新たな実施例２のハンガー本体の断面Ａ’の構造の略図である。滑溝（１１”、１２”、１３”、１４”）は、ハンガー本体（１”）に取り付けられ、両側に対称的な切り込みを形成し、これによりハンガー本体（１”）の断面が「Ｈ」の構造となる。
図７は、新たな実施例２のフック状簧片の構造の略図であり、図８は図７の断面図である。フック状簧片（３”、４”）のフック部分には滑り留部（３１”、４１”）があり、滑り留部（３１”、４１”）の２つの突縁は、ハンガー本体（１”）の滑溝（１１”、１２”、１３”、１４”）に挿入される。
【図面の簡単な説明】
【００１５】
【図１】本発明の実施例１の構造の略図である。
【図２】本発明の実施例２の構造の略図である。フック状の簧片の上部保持部およびハンガー本体の滑溝は、逆向きの「Ｔ」の構造を有する。
【図３】本発明の実施例２のフック状簧片の略図である。
【図４】図３の右側の図である。
【図５】実施例２のハンガー本体の断面Ａの構造の略図である。
【図６】本発明の実施例３の構造の略図である。フック状簧片の上部保持部およびハンガー本体の滑溝は「Ｈ」の構造を有する。
【図７】本発明の実施例３のフック状簧片の略図である。
【図８】図７の断面図である。
【図９】実施例３のハンガー本体の断面Ａ’の構造の略図である。
【符号の説明】
【００１６】
１  ハンガー本体
２  フック
１１、１２  上部保持部
１１１、１１２  突起部
１’  ハンガー本体
２’  フック
１１’、１２’  滑溝
３’、４’  フック状簧片
３１’、４１’  ほぞ
１”  ハンガー本体
２”  フック
１１”、１２”、１３”、１４”  滑溝
３”、４”  フック状簧片
３１’、４１’  滑り留部
【図１】
2009517142.tif 000003
【図２】
2009517142.tif 000004
【図３】
2009517142.tif 000005
【図４】
2009517142.tif 000006
【図５】
2009517142.tif 000007
【図６】
2009517142.tif 000008
【図７】
2009517142.tif 000009
【図８】
2009517142.tif 000010
【図９】
2009517142.tif 000011
【国際調査報告】
2009517142.tif 000012
2009517142.tif 000013
2009517142.tif 000014
2009517142.tif 000015
2009517142.tif 000016
2009517142.tif 000017